(57)【要約】瓶の開口部に結合された蓋を開放させるためのプッシュオープナーを開示する。このプッシュオープナーは，長いアームを有する中間キャップと，蓋の下端に係止される係止突出部が設けられた第１作動アームと，蓋の上端を支持する第２作動アームと，一端が上記第１作動アームにヒンジで結合され，他端が上記中間キャップの延長アームの端部に配置され，オープナー本体の加圧の際，回動しながら上記第１作動アームを上昇させる傾斜アームと，上記傾斜アームを元の位置に復帰させる復帰スプリングと，透明材からなった内部ハウジングと，上記内部ハウジングの半径方向外側に設けられる透明材の外部ハウジングと，上記内部または外部ハウジングに設けられる広告部とを含む。
2005526672.tif 000002
【特許請求の範囲】
【請求項１】
上部キャップの下側に設けられ，一側が下方に伸びる延長アームが設けられた中間キャップと；
蓋の下端に係止される係止突出部が設けられた第１作動アームと；
前記第１作動アームから離隔して蓋の上端を支持する第２作動アームと；
一端が前記第１作動アームにヒンジで結合され，他端が前記中間キャップの延長アームの端部に配置され，オープナー本体の下方向への加圧の際，回動しながら前記第１作動アームを上昇させる傾斜アームと；
前記傾斜アームを元の位置に復帰させる復帰スプリングと；
を含んでなり，瓶の開口部に結合された前記蓋を開放させるためのプッシュオープナーにおいて：
透明材からなった内部ハウジングと；
前記内部ハウジングから所定の離隔空間を置いて前記内部ハウジングの半径方向外側に設けられる透明材の外部ハウジングと；
前記内部または外部ハウジングに設けられる広告部と；
を含むことを特徴とする，プッシュオープナー。
【請求項２】
前記上部キャップが前記オープナー本体の上端に着脱可能に結合され，前記上部キャップには第２広告部が設けられることを特徴とする，請求項１に記載のプッシュオープナー。
【請求項３】
前記内部および外部ハウジング間の離隔空間には充填材が設けられることを特徴とする，請求項１に記載のプッシュオープナー。
【発明の詳細な説明】
【技術分野】
【０００１】
本発明は，瓶の蓋を開放することが可能なプッシュオープナーに係り，より詳しくは通常のプッシュオープナーに広告部を設け，多様な内容の広告を掲載することにより，広告および販促効果を増大させることが可能なプッシュオープナーに関するものである。
【背景技術】
【０００２】
一般に，飲料やお酒などの液体が収容された瓶の開口部には蓋が結合されている。このような瓶の蓋は，手で捻って回転させ容易に開放できるものと，鉄材からなり別途のオープナーが必要なものとがある。
【０００３】
オープナーは，レバー方式を採用したレバータイプオープナーとプッシュタイプオープナー（以下，“プッシュオープナー”という）に分類される。プッシュオープナーにおいて，蓋を含む瓶の上端部はプッシュオープナーの開放された下端部に挿入され，プッシュオープナーの本体を加圧することで，蓋を開放させることができる。
【０００４】
ところで，従来のレバータイプオープナーには所定の広告部を有するものが知られている。しかし，プッシュオープナーに広告部が設けられたものは知られていない。従って，プッシュオープナーにも所定の広告部を設けると，広告効果とともに広報効果および販促効果を期待することができる。
【発明の開示】
【発明が解決しようとする課題】
【０００５】
従って，本発明は，上記のような従来の問題点に鑑みてなされたもので，その目的は，広告部が設けられたプッシュオープナーを提供することにある。
【０００６】
本発明の他の目的は，オープナー本体をなす内部および外部ハウジング間の離隔空間に充填材を設けることで好奇心を起こさせるとともに，その美的外観を向上させることが可能なプッシュオープナーを提供することにある。
【課題を解決するための手段】
【０００７】
上記目的を達成するため，本発明によると，上部キャップの下側に設けられ，一側が下方に伸びる延長アームが設けられた中間キャップと，蓋の下端に係止される係止突出部が設けられた第１作動アームと，上記第１作動アームから離隔して蓋の上端を支持する第２作動アームと，一端が上記第１作動アームにヒンジで結合され，他端が上記中間キャップの延長アームの端部に配置され，オープナー本体の下方向への加圧の際，水平方向に回動しながら上記第１作動アームを上昇させる傾斜アームと，上記傾斜アームを元の位置に復帰させる復帰スプリングとを含んでなり，瓶の開口部に結合された蓋を開放させるためのプッシュオープナーにおいて，透明材からなった内部ハウジングと，上記内部ハウジングから所定の離隔空間を置いて上記内部ハウジングの半径方向外側に設けられる透明材の外部ハウジングと，上記内部または外部ハウジングに設けられる広告部とを含むプッシュオープナーを提供する。
【０００８】
本発明の他の特徴によると，上記上部キャップは，上記オープナー本体の上端に着脱可能に結合され，上記上部キャップには第２広告部が設けられる。
【０００９】
本発明のさらに他の特徴によると，上記内部および外部ハウジング間の離隔空間には充填材が設けられる。
【００１０】
本発明の上記目的，特徴および利点は添付図面を参照する以降の詳細な説明からより明らかに理解可能であろう。
【発明を実施するための最良の形態】
【００１１】
以下，添付図面を参照するが，図面全般にわたって同一参照符号は，同一または同等な構成要素を示している。
【００１２】
図１は，本発明の第１実施形態によるプッシュオープナーを示す斜視図，図２は，図１の概略的な縦断面図である。図１および図２に示すように，本発明の第１実施形態によるプッシュオープナーは，瓶１０の開口部に結合された蓋１２を開放させるために使用される。このようなプッシュオープナーは，円筒状のオープナー本体２０と，該オープナー本体２０内に設けられ，瓶の蓋１２を開放させる蓋開放部（図示せず）とを有する。
【００１３】
オープナー本体２０は，蓋１２とともに瓶１０の一部が挿入できるように，下端が開放されており，上端には上部キャップ２２が設けられている。上部キャップ２２は，ネジ方式で回転し，オープナー本体２０の上端を開放または閉鎖する。上部キャップ２２は，後述する外部および内部ハウジング２０ａ，２０ｂと同様に，透明材から構成することができ，その下端に広告部２５ａが設けられる。
【００１４】
オープナー本体２０は，円筒状の内部ハウジング２０ｂと，内部ハウジング２０ｂから所定の離隔空間を置いて内部ハウジング２０ｂの半径方向外側に設けられる外部ハウジング２０ａとを含んで構成される。この実施形態において，オープナー本体２０は，円筒状に形成されているが，デザインを考慮して四角柱状または三角柱状に形成することもできる。
【００１５】
外部ハウジング２０ａおよび内部ハウジング２０ｂは透明材からなっている。従って，後述する広告部（印刷シートまたは印刷パターン）２５を外部から容易に観察することができる。
【００１６】
広告部２５は，内部ハウジング２０ｂの内側に設けられる。即ち，オープナー本体２０が円筒状になっているので，広告部２５も円筒状に形成され，内部ハウジング２０ｂの内部に配置する。すると，内部ハウジング２０ｂの下端に形成された内向フランジ２０ｃにより広告部２５が内部ハウジング２０ｂの内側に維持することができる。しかし，この方法のほかにも，内向フランジ２０ｃを設けなく，内部ハウジング２０ｂの内壁に広告部２５を接着させることもできる。このような広告部は，広告パターンまたは広告シートから構成することができ，その交替方法が簡単なので，多くの広告部２５を互いに交替する方式を用いることができる。
【００１７】
この際，外部ハウジング２０ａおよび内部ハウジング２０ｂが共に透明材からなっているので，内部ハウジング２０ｂ内に設けられた広告部２５を外側から観察することができる。しかし，これも一つの実施形態に過ぎず，広告部２５は，外部および内部ハウジング２０ａ，２０ｂ間の離隔空間にも設けることができる。
【００１８】
本発明の好ましい実施形態において，外部および内部ハウジング２０ａ，２０ｂ間の離隔空間には充填材２６が充填される。充填材２６としては，例えば水のような液体だけでなく，短直径の微細な砂またはビードのような固体を使用することができる。このような充填材２６により，使用者にはプッシュオープナーに対する好奇心を起こさせることができ，その外観を向上させることが可能となる。この際，外部および内部ハウジング２０ａ，２０ｂの上部には気密キャップ２３が設けられるので，充填材２６が外部へ漏出することを防止できる。
【００１９】
蓋１２を開放させるために内部ハウジング２０ｂ内に設けられる蓋開放部は，上部キャップ２２の下側に設けられ，一側が下方に伸びる延長アーム３１ａが設けられた中間キャップ３１と，蓋１２の下端に係止される係止突出部３２ａが設けられた第１作動アーム３２と，第１作動アーム３２から離隔して蓋１２の上端を支持する第２作動アーム３３と，一端が第１作動アーム３２にヒンジ３５で結合され，他端が中間キャップ３１の延長アーム３１ａの端部に配置され，オープナー本体２０の加圧の際，回動しながら第１作動アーム３２を上昇させる傾斜アーム３４と，傾斜アーム３４を元の位置に復帰させる復帰スプリング３６とを含む。
【００２０】
蓋１２を開放させるためには，オープナー本体２０の下部開口内に，蓋１２とともに瓶１０の一部を挿入する。この際，蓋１２の下端は第１作動アーム３２の係止突出部３２ａに係止されている。
【００２１】
この状態で，オープナー２０を握って下方に加圧する。すると，ヒンジ３５により，傾斜アーム３４が回動しながら第１作動アーム３２を上昇させる。この際，瓶１２の上端は第２作動アーム３３に支持され，蓋１２の下端に係止された第１作動アーム３２のみが上昇することにより，蓋１２を容易に開放させることができる。
【００２２】
結果として，本発明によると，加圧による簡便な方法で蓋１２を開放させるようにしたプッシュオープナーに，広告部２５を設け，広告効果とともに広報効果および販促効果を提供することができる。
【００２３】
また，外部および内部ハウジング２０ａ，２０ｂ間の離隔空間に充填された充填材２６により購買者の好奇心を起こさせることができるばかりでなく，外観を向上させることができる。
【００２４】
前述した実施形態においては，充填材２６として固体を採用可能であると説明したが，充填材２６として砂のような固体を採用すると，広告部２５が隠されてしまう。この場合，所望の広告部２５が外側から観察できるように，砂の量を適切に調節しなければならない。
【００２５】
前述した第１の実施形態においては，オープナー本体２０を外部および内部ハウジング２０ａ，２０ｂから構成したが，図３に示すように，外部および内部ハウジング２０ａ，２０ｂの区分なしで単一壁からなったオープナー本体２０に広告部を設けることもできる。
【００２６】
上記説明から分かるように，本発明によるプッシュオープナーは，商品の広告および販促効果を向上させる利点とともに，オープナー本体をなす外部および内部ハウジング間の離隔空間に充填材を設けることにより，購買者の好奇心を起こさせるだけでなく，外観を向上させる利点を有する。
【００２７】
以上，本発明の好ましい実施例を例示のために説明したが，当業者であれば，添付の特許請求範囲に開示された本発明の範囲および精神から逸脱しないで多様な変形，付加および交替が可能である。
【産業上の利用可能性】
【００２８】
本発明は，瓶の蓋を開放することが可能なプッシュオープナーに係り，より詳しくは通常のプッシュオープナーに広告部を設け，多様な内容の広告を掲載することにより，広告および販促効果を増大させることが可能なプッシュオープナーに利用可能である。
【図面の簡単な説明】
【００２９】
【図１】第１の実施形態によるプッシュオープナーの外観を示す斜視図である。
【図２】図１の概略的な縦断面図である。
【図３】第２の実施形態によるプッシュオープナーを示す断面図である。
【符号の説明】
【００３０】
１２  蓋
２０ａ  内部ハウジング
２０ｂ  外部ハウジング
２２  上部キャップ
２５  広告部
２５ａ  第２広告部
２６  充填材
３１  中間キャップ
３１ａ  延長アーム
３２  第１作動アーム
３２ａ  係止突出部
３３  第２作動アーム
３４  傾斜アーム
３５  ヒンジ
３６  復帰スプリング
【図１】
2005526672.tif 000003
【図２】
2005526672.tif 000004
【図３】
2005526672.tif 000005
【国際調査報告】
2005526672.tif 000006
2005526672.tif 000007